(57)【要約】【課題】  本発明は魚釣用リールに関し、右利きハンドル巻き上げ用と左利きハンドル巻き上げ用の双方への制御ボックスの兼用化を図った魚釣用リールを提供することを目的とする。【解決手段】  リール本体の側板間に回転自在に支持したスプールの回転数と回転方向を検出する回転検出装置と、前記回転検出装置の検出値に基づき釣糸の繰出し量や巻取り量を計測する糸長計測装置の表示器を備えた制御ボックスをリール本体に設けた魚釣用リールに於て、前記回転検出装置を、制御ボックスと別体に設けた検出体に装着すると共に、前記制御ボックスの両側部に、前記検出体に電気的に接続可能な接続部を形成し、前記接続部のいずれか一方を前記検出体に接続したことを特徴とする。【選択図】    図４
2008154522.tif 000002
【特許請求の範囲】
【請求項１】
リール本体の側板間に回転自在に支持したスプールの回転数と回転方向を検出する回転検出装置と、前記回転検出装置の検出値に基づき釣糸の繰出し量や巻取り量を計測する糸長計測装置の表示器を備えた制御ボックスをリール本体に設けた魚釣用リールに於て、
前記回転検出装置を、制御ボックスと別体に設けた検出体に装着すると共に、
前記制御ボックスの両側部に、前記検出体に電気的に接続可能な接続部を形成し、
前記接続部のいずれか一方を前記検出体に接続したことを特徴とする魚釣用リール。
【請求項２】
前記制御ボックスの不使用状態にある接続部に、防水シール処理を施したことを特徴とする請求項１に記載の魚釣用リール。
【請求項３】
前記検出体に、前記スプールを有するスプール軸を回転自在に支持する軸受部を設けたことを特徴とする請求項１または請求項２に記載の魚釣用リール。
【発明の詳細な説明】
【技術分野】
【０００１】
本発明は、スプールの回転数に基づき、釣糸の繰出し量や巻取り量を計測表示する糸長計測装置を備えた魚釣用リールに関する。
【背景技術】
【０００２】
釣果の向上を図るため、近年、多くの魚釣用リールには、釣糸の繰出し量や巻取り量（以下、「糸長」という）を計測表示する糸長計測装置が備えられている。
この糸長計測装置は、リール本体に回転自在に支持したスプールの回転数と回転方向を検出する回転検出装置と、この回転検出装置の検出値を基に糸長を演算計測して、計測値を表示器に表示させるマイクロコンピュータ等の電装部品（電子制御装置）とで構成されている。
【０００３】
そして、従来、回転検出装置と表示器，電装部品を含む糸長計測装置全体が制御ボックスに一体的に装着されてリール本体に取り付けられており、特許文献１には制御ボックスをＬ字状に形成して、リール本体の上部（左右の側板の上部）に位置する制御ボックスの水平部の操作パネルや内部に表示器や電装部品を装着，収容し、スプールの回転数と回転方向を検出する回転検出装置を水平部に組み込んで、この垂直部を側板内に配置した魚釣用リールが開示されている。
【特許文献１】実開昭６０−１２１７５８号公報
【発明の開示】
【発明が解決しようとする課題】
【０００４】
ところで、釣人の利き手により、魚釣用リールに於ても右利きハンドル巻き上げ用と左利きハンドル巻き上げ用のものがあり、スプールを回転自在に支持し且つスプールの駆動機構等を装着するリール本体は、駆動機構等の構造上、右利き用と左利き用の設計仕様に応じて製造されている。
そして、回転検出装置や表示器等を一体的に備えた前記制御ボックスにあっても、右利き用と左利き用の仕様に応じて別途に設計，製造しているのが実情で、製造コストの点から不経済で、効率のよいラインアップの充実化に向けての大きな弊害となっているのが現状であった。
【０００５】
本発明は斯かる実情に鑑み案出されたもので、右利きハンドル巻き上げ用と左利きハンドル巻き上げ用の双方への制御ボックスの兼用化を図った魚釣用リールを提供することを目的とする。
【課題を解決するための手段】
【０００６】
斯かる目的を達成するため、請求項１に係る発明は、リール本体の側板間に回転自在に支持したスプールの回転数と回転方向を検出する回転検出装置と、前記回転検出装置の検出値に基づき釣糸の繰出し量や巻取り量を計測する糸長計測装置の表示器を備えた制御ボックスをリール本体に設けた魚釣用リールに於て、前記回転検出装置を、制御ボックスと別体に設けた検出体に装着すると共に、前記制御ボックスの両側部に、前記検出体に電気的に接続可能な接続部を形成し、前記接続部のいずれか一方を前記検出体に接続したことを特徴とする。
【０００７】
そして、請求項２に係る発明は、請求項１に記載の魚釣用リールに於て、前記制御ボックスの不使用状態にある接続部に、防水シール処理を施したことを特徴とし、請求項３に係る発明は、請求項１または請求項２に記載の魚釣用リールに於て、前記検出体に、前記スプールを有するスプール軸を回転自在に支持する軸受部を設けたことを特徴とする。
【発明の効果】
【０００８】
請求項１に係る発明によれば、制御ボックスの両側部に設けた接続部を、右利き用と左利き用の何れか一方の設計仕様に応じて選択的に接続使用することで、制御ボックスの兼用化が可能となるため、従来に比し経済的で、効率のよいラインアップの充実を図ることができる利点を有する。
そして、請求項２に係る発明によれば、使用しない接続部に防水シール処理を施してあるため、水や海水，粉塵等が付着し易い釣場環境下でも支障なく魚釣用リールが使用でき、更に、請求項３に係る発明によれば、検出体に軸受部を設けた構造上、リール本体に装着される部品やスペースの有効活用が図られ、この結果、リール本体のコンパクト化が可能となって魚釣り操作性，携帯性が向上する利点を有する。
【発明を実施するための最良の形態】
【０００９】
以下、本発明の実施形態を図面に基づいて詳細に説明する。
図１乃至図３は請求項１乃至請求項３に係る魚釣用リールの一実施形態を示し、図１に於て、１，３はフレーム５の左右のフレーム枠体５ａ，５ｂに取り付く側板で、両側板１，３とフレーム５とによって魚釣用リール７のリール本体９が構成されている。
そして、本実施形態に係る魚釣用リール７は、後述するハンドル１１が右側の側板３側に装着された右利き用のリールである。
【００１０】
図２に示すように側板１，３とフレーム枠体５ａ，５ｂは何れも側面視円形状に形成され、反ハンドル側のフレーム枠体５ａには、その外周に沿って雄ネジ部１３が形成されている。そして、該フレーム枠体５ａに取り付く側板１の端部の周縁部内周に、雄ネジ部１３に螺合する雌ネジ部１５が形成されており、側板１は雄ネジ部１３を雌ネジ部１５に螺着してフレーム枠体５ａに固定されている。
【００１１】
一方、他方の側板３は、従来と同様、フレーム枠体５ｂにネジ止めされている。
そして、図１に示すように両側板１，３間に、スプール軸１７が中心に挿着されたスプール１９が回転自在に支持されており、反ハンドル側のフレーム枠体５ａにはスプール１９の端面１９ａに対向して円形状の透孔２１が設けられている。そして、図１及び図２に示すように該透孔２１を覆って皿状の検出体２３がフレーム枠体５ａの外側面にネジ止めされており、スプール軸１７の一端側が、該検出体２３に設けた軸受部２５に軸受２７を介して回転自在に支持されている。
【００１２】
更に、前記軸受部２５側のスプール軸１７の端部には、バックラッシュ防止装置２９の回転部材３１が回り止め嵌合されており、該回転部材３１に回転検出装置３３のマグネット３５が装着されている。
図３に示すように前記回転部材３１は円板状に構成されて、スプール軸１７を囲繞するように軸方向に突出して軸受部２５の径方向外方へ延設された筒状部３７を有している。
【００１３】
そして、前記筒状部３７に、径方向外方へ９０°の間隔を空けて４本のステー状の遠心カラー保持部３９が挿着されている。そして、各遠心カラー保持部３９に、径方向へ移動可能に支持された遠心カラー４１が取り付けられており、各遠心カラー４１は、回転部材３１（スプール１９）の回転速度が速くなればなるほど、その遠心力によって拡径方向へ移動するように構成されている。
【００１４】
一方、皿状に形成された検出体２３の周縁部の内周面には、遠心カラー４１が所定の遠心力で径方向へ移動したときに当接するブレーキリング４３が取り付けられており、回転部材３１（スプール１９）の回転速度が必要以上に速くなると、各遠心カラー４１がブレーキリング４３に当接して回転部材３１に制動力が付与され、これによりスプール１９の回転が抑制されてバックラッシュの発生が防止されるようになっている。
【００１５】
そして、筒状部３７の突出端に、１８０°間隔を空けて２個の既述したマグネット３５が装着されると共に、これらの回転軌跡に対向して検出体２３に、リードスイッチやホール素子等の磁気センサ４５が内装されており、マグネット３５と磁気センサ４５はスプール１９の回転数と回転方向を検出する回転検出装置３３を構成している。そして、磁気センサ４５は、後述する制御ボックス４７内に組み込まれたマイクロコンピュータにリード線４８を介して接続されている。
【００１６】
一方、図１に示すようにスプール軸１７の他端側は側板３外に突出し、ブレーキ調節ツマミ４９が取り付く支持部材５１内に装着した軸受５３によって支持されている。そして、スプール軸１７には、該スプール軸１７に設けたクラッチ部５５に係脱可能なピニオンギヤ５７が相対回転可能且つその軸方向へスライド可能に取り付けられており、スプール１９後方の側板１，３間に設けたクラッチレバー５９を下方向へ押圧操作すると、クラッチ部５５とピニオンギヤ５７とのクラッチ係合がクラッチプレート６１で解除（クラッチＯＦＦ）されて、スプール１９が巻取り可能状態からスプールフリー状態に切り換わるようになっている。
【００１７】
また、図１中、１１は釣糸巻取り用のハンドルで、そのハンドル軸６３には前記ピニオンギヤ５７に噛合するドライブギヤ６５が相対回転可能に取り付けられており、ハンドル１１の回転操作による巻取り力が、ドライブギヤ６５とピニオンギヤ５７を介してスプール軸１７からスプール１９に伝達されるようになっている。そして、既述したスプールフリー状態でハンドル１１を巻取り方向へ回転させると、図示しない周知の復帰機構によりピニオンギヤ５７がクラッチ部５５にクラッチ係合（クラッチＯＮ）して、スプール１９が巻取り可能状態に復帰するように構成されており、このクラッチレバー５９とハンドル１１のクラッチＯＮ／ＯＦＦの切換え操作で、スプール１９が巻取り可能状態とスプールフリー状態とに切り換わって、スプール１９へのハンドル１１の巻取り駆動力が伝達／遮断されるようになっている。
【００１８】
更に、ドライブギヤ６５とハンドル軸６３は従来周知のドラグ装置（図示せず）によって摩擦結合されており、ドラグ力の調節はハンドル軸６３に回転可能に装着したドラグノブ６７で行うようになっている。
そして、図１及び図２に示すように、前記リール本体９の上部前方にオフセットして制御ボックス４７が取り付けられている。
【００１９】
図示するように制御ボックス４７は平面視矩形状に形成され、既述したフレーム枠体５ａ，５ｂ間に架設可能な寸法に設定されている。そして、制御ボックス４７の上部に機能スイッチ６９を備えた操作パネル７１が形成され、該操作パネル７１に表示器７３が装着されており、内部にはマイクロコンピュータ等の電装部品が水密性を以って収容されている。
【００２０】
一方、図２に示すようにフレーム枠体５ａ，５ｂには、夫々、制御ボックス４７を載置可能な切欠部７５が設けられており、両切欠部７５によって制御ボックス４７がリール本体９の上部前方の側板１，３間（フレーム枠体５ａ，５ｂ間）に位置決めされる。
そして、図１に示すように制御ボックス４７のハンドル側の側面の後方には、側板３の内周に沿って円弧状の突条からなる係合部７７が突設されており、該側板３をフレーム枠体５ｂにネジ止めすると、側板３の内周が係合部７７に係合（当接）して、制御ボックス４７が該係合部７７を介して側板３とフレーム枠体５ｂとの間に挟持されるようになっている。
【００２１】
また、図１及び図２に示すように制御ボックス４７の反ハンドル側の側面の後方には、前記側板１をフレーム枠体５ａに螺着する際に、該側板１の内周が係合する円弧状の突条からなる係合部７９が側板１の内周に沿って円弧状に突設されており、側板１をフレーム枠体５ａに螺着すると、側板１の内周が係合部７９に係合（当接）して、制御ボックス４７が該係合部７９を介して側板１とフレーム枠体５ａとの間に挟持されるようになっている。
【００２２】
このように、側板３の内周が係合部７７に係合して制御ボックス４７が側板３とフレーム枠体５ｂとの間に挟持されると共に、側板１の内周が係合部７９に係合して制御ボックス４７が側板１とフレーム枠体５ａとの間に挟持されて、制御ボックス４７がリール本体９の上部前方に抜け止め保持されている。
そして、既述したように回転検出装置３３の磁気センサ４５が、制御ボックス４７内のマイクロコンピュータにリード線４８を介して接続されており、マイクロコンピュータのＣＰＵは、特開平５−１０３５６７号公報で開示された糸長計測装置と同様、磁気センサ４５から出力されるスプール１９の正転，逆転の判定信号を取り込んで釣糸の繰出しか巻取りかを判定すると共に、磁気センサ４５から取り込むスプール１９の回転パルス信号をカウントして、この計数値を基にマイクロコンピュータのＲＯＭに記憶された糸長計算式を演算実行するようになっている。そして、ＣＰＵは、その演算結果（糸長計測値）を表示器７３に表示し、釣人は斯かる表示を確認し乍ら、所定の水深に仕掛けを繰り出したり、ハンドル１１の操作で釣糸を巻き取ることができるようになっている。
【００２３】
而して、図２及び図４に示すように前記リード線４８は、制御ボックス４７の底面４７ａの左側側部に設けた接続部８１と検出体２３の外側周縁部に設けた接続部８３との間に電気的に接続されているが、斯かる構成に加え、制御ボックス４７の底面４７ａの右側側部にも、リード線４８が電気的に接続可能な接続部８５が形成され、更に、前記接続部８３と周方向に所定の距離を空けて検出体２３の外側周縁部にリード線４８が接続可能な接続部８７が形成されており、これらの接続部８５，８７を制御ボックス４７と検出体２３に夫々設けることで、制御ボックス４７と検出体２３を図１の右利き用の魚釣用リール７だけでなく、図５に示す左利き用の魚釣用リール８９にも兼用させることができるようになっている。
【００２４】
図５の魚釣用リール８９は、前記フレーム５を左右に反転させたフレーム５-1の左右のフレーム枠体５ａ-1，５ｂ-1に側板９１，９３を装着してリール本体９-1が構成されており、左右の側板９１，９３は、夫々、既述した側板３，１と同一形状とされている。そして、前記側板１と同様、側板９３はフレーム枠体５ｂ-1に設けた雄ネジ部１３に雌ネジ部１５が螺着してフレーム枠体５ｂ-1に固定されており、左側の側板９１側にハンドル軸６３を介してハンドル１１が取り付けられている。
【００２５】
そして、両側板９１，９３間に、スプール軸１７を介してスプール１９が回転自在に支持され、反ハンドル側のフレーム枠体５ｂ-1には、スプール１９の端面に対向して円形状の透孔（図示せず）が設けられている。そして、前記実施形態と同様、該透孔２１を覆って前記検出体２３がフレーム枠体５ｂ-1の外側面にネジ止めされており、スプール軸１７の一端側が、該検出体２３の軸受部２５に軸受２７を介して回転自在に支持されている。
【００２６】
更に、前記側板９３側にバックラッシュ防止装置２９や回転検出装置３３等が装着されると共に、側板９１側にピニオンギヤ５７やドライブギヤ６５等が装着される等、この左利き用の魚釣用リール８９は、制御ボックス４７を除き、図１の右利き用の魚釣用リール７と左右に反転した構造とされているが、検出体２３を右側のフレーム枠体５ｂ-1の外側面にネジ止めした構造上、前記接続部８１，８３間にリード線４８を接続することができない。
【００２７】
そこで、既述したように本実施形態は、制御ボックス４７の底面４７ａの右側側部にリード線４８が電気的に接続可能な接続部８５を形成し、更に、前記接続部８３と周方向に所定の距離を空けて検出体２３の外側周縁部にリード線４８が接続可能な接続部８７を形成して、制御ボックス４７と検出体２３を図５の左利き用の魚釣用リール８９に兼用化させたものである。
【００２８】
尚、本実施形態では、リール本体９の上部前方にオフセットして制御ボックス４７が取り付けられているため、検出体２３を右利き用と左利き用とに兼用させるに当たり２つの接続部８３，８７を設けたが、制御ボックス４７が前方にオフセットせずにスプール軸１７の上方に取り付く場合には、検出体２３には１つの接続部を設ければ足りる。
そして、図４に示すように不使用状態にある制御ボックス４７と検出体２３の接続部（図１の右利き用では接続部８５，８７、図５の左利き用では接続部８１，８３）にシリコンゴム９５を充填して防水シール処理が施されており、このように防水シール処理を施すことで、水や海水，粉塵等が付着し易い釣場環境下でも支障なく魚釣用リール７，８９が使用できるようになっている。
【００２９】
その他、図１，図５に於て、９７は従来周知のレベルワインド機構で、斯かるレベルワインド機構９７によって釣糸がスプール１９に均一に巻回され、釣糸の糸長が表示器７３に表示されるが、前記魚釣用リール７，８９は、釣糸を所定量繰り出した処で前記機能スイッチ６９を押し乍らハンドル１１を巻取り方向へ所定量回転させると、その釣糸の繰出し位置（水深）が棚位置に設定されて、この棚位置が表示器７３に表示されるようになっている。
【００３０】
更に、図示しないが魚釣用リール７，８９にコマセタイマーが装着されると共に、前記マイクロコンピュータにコマセタイマー監視プログラムが組み込まれており、釣糸の所定量の繰出しでこの監視プログラムがスタートし、スプール１９が所定時間停止し或いはスプール１９の巻取り方向への回転状態検知に基づき、コマセタイマーをスタートさせて表示器７３にカウント値を表示させるように構成されている。
【００３１】
本実施形態はこのように構成されているから、図１の右利き用魚釣用リール７を製造する場合には、左側のフレーム枠体５ａにネジ止めした検出体２３と、リール本体９の上部前方にオフセットして取り付く制御ボックス４７との間を、図４の如く接続部８３，８１を用いてリード線４８を接続すればよい。そして、使用しない接続部８５，８７にシリコンゴム９５を充填して防水シール処理を施せばよい。
【００３２】
また、図５の左利き用魚釣用リール８９を製造する場合には、右側のフレーム枠体５ｂ-1にネジ止めした検出体２３と、リール本体９-1の上部前方にオフセットして取り付く制御ボックス４７との間を、図５の二点鎖線の如く接続部８７，８５を用いてリード線４８を接続すればよく、使用しない接続部８１，８３にシリコンゴム９５を充填して防水シール処理を施しておけばよい。
【００３３】
このように本実施形態によれば、制御ボックス４７の底面４７ａの左右両側部に夫々設けた接続部８１，８５と、検出体２３の外側周縁部に設けた２つの接続部８３，８７を、右利き用と左利き用の何れか一方の設計仕様に応じて選択的に接続使用することで、制御ボックス４７と検出体２３の兼用化が可能となるため、従来に比し経済的で、効率のよいラインアップの充実を図ることができる利点を有する。
【００３４】
また、既述したように使用しない接続部８１，８３，８５，８７にシリコンゴム９５を充填して防水シール処理を施してあるため、水や海水，粉塵等が付着し易い釣場環境下でも支障なく魚釣用リール７，８９が使用でき、更に、検出体２３に軸受部２５を設けた構造上、リール本体９，９-1に装着される部品やスペースの有効活用が図られ、この結果、リール本体９，９-1のコンパクト化が可能となって魚釣り操作性，携帯性が向上する利点を有する。
【００３５】
加えて、本実施形態は、前記機能スイッチ６９の操作で棚位置の設定を可能としているが、多くの機能をこの機能スイッチ６９に持たせることで、操作パネル７１上に最小限の１個のスイッチ数で対応可能となる。
【図面の簡単な説明】
【００３６】
【図１】請求項１乃至請求項３の一実施形態に係る右利き用魚釣用リールの一部切欠き平面図である。
【図２】図１のII−II線断面図である。
【図３】図１に示す魚釣用リールの要部拡大断面図である。
【図４】制御ボックスと検出体の底面図である。
【図５】左利き用魚釣用リールの平面図である。
【符号の説明】
【００３７】
１，３，９１，９３  側板
５，５-1  フレーム
５ａ，５ａ-1，５ｂ，５ｂ-1  フレーム枠体
７，８９  魚釣用リール
９，９-1  リール本体
１１  ハンドル
１３  雄ネジ部
１５  雌ネジ部
１７  スプール軸
１９  スプール
２３  検出体
２５  軸受部
３３  回転検出装置
３５  マグネット
４５  磁気センサ
４７  収容ボックス
４８  リード線
６３  ハンドル軸
６９  機能スイッチ
７１  操作パネル
７３  表示器
７５    切欠部
７７，７９  係合部
８１，８３，８５，８７  接続部
９５  シリコンゴム
【図１】
2008154522.tif 000003
【図２】
2008154522.tif 000004
【図３】
2008154522.tif 000005
【図４】
2008154522.tif 000006
【図５】
2008154522.tif 000007